(57)【要約】【課題】  ロック手段の簡便な操作性を保持しつつ、柱体の内部にチェーンを収納するためのスペースを確保した出没式柵柱を提案する。【解決手段】  本発明の出没式柵柱１は、地中に埋設される外筒２と、外筒２内に昇降自在に収納される柱体３と、柱体３を所定の突出位置にて解除自在に停止させるロック手段とを備える。柱体３は中空の筒状に形成され、チェーン出入口３３を通じて内部にチェーン４が出し入れ自在に収納される。外筒２及び柱体３は、それぞれ少なくとも一ヶ所の平坦な側面を有し、それら平坦な側面同士が所定の隙間を保持して、その隙間にロック手段が組み込まれる。ロック手段は、柱体３の側面の外側に回転自在に取り付けられたストップカム５と、外筒２側に突設されてストップカム５に当接し、ストップカム５をフリー姿勢またはロック姿勢に位置決めするガイド部材６及びカム動作部７によって構成される。【選択図】  図２
2014066030.tif 000002
【特許請求の範囲】
【請求項１】
地中に埋設される外筒と、前記外筒内に昇降自在に収納される柱体と、該柱体を所定の突出位置にて解除自在に停止させるロック手段とを備えた出没式柵柱において、
前記柱体は中空の筒状に形成され、前記柱体の上部近傍に形成されたチェーン出入口を通じて前記柱体の内部にチェーンが出し入れ自在に収納されるように形成されるとともに、
前記外筒及び前記柱体は、それぞれ少なくとも一ヶ所の平坦な側面を有し、それら平坦な側面同士が所定の隙間を保持するようにして前記外筒と前記柱体とが挿装され、
前記ロック手段が、
前記柱体の平坦な側面の外側に沿って取り付けられ前記柱体と前記外筒との隙間で回転自在に保持されるストップカムと、
前記外筒の平坦な側面の内側に突設されて前記ストップカムに当接し、前記ストップカムの回転位置を、前記柱体の昇降を許容するフリー姿勢、または前記柱体を前記突出位置に保持するロック姿勢のいずれかに位置決めするガイド部材及びカム動作部とによって構成されることを特徴とする出没式柵柱。
【請求項２】
請求項１に記載された出没式柵柱において、
前記ストップカムは、前記柱体の前記平坦な側面の下部近傍に、前記柱体の軸方向に直交する支持軸を介して取り付けられ、
前記ガイド部材は、前記外筒の前記平坦な側面に、前記外筒の軸方向に沿って直線状に突設することにより、前記ストップカムの縁部に摺動自在に当接するように形成され、
前記カム動作部は、前記外筒の前記平坦な側面の上部近傍に突設され、前記柱体を前記突出位置よりも上昇させると前記ストップカムの縁部に当接して、前記フリー姿勢にある前記ストップカムを前記ロック姿勢側に回転させ、または前記ロック姿勢にある前記ストップカムを前記フリー姿勢側に回転させるように形成されたことを特徴とする出没式柵柱。
【請求項３】
請求項１または２に記載された出没式柵柱において、
前記外筒及び前記柱体は、互いに対向する二ヶ所ずつの平坦な側面を有し、それら二ヶ所ずつの平坦な側面同士がそれぞれ所定の隙間を保持するように前記外筒と前記柱体とが挿装され、
前記ロック手段が、前記二ヶ所の隙間にそれぞれ設けられ、互いに同期して動作することを特徴とする出没式柵柱。
【請求項４】
請求項１、２又は３に記載された出没式柵柱において、
前記外筒の上端近傍の内側に、前記柱体との隙間を一定に保持するためのスペーサが添設されるとともに、
前記外筒の上端部には前記スペーサと内面を揃えるようにして口環部材が着脱自在に装着され、
前記カム動作部は前記口環部材から下向きに突設するように形成されたことを特徴とする出没式柵柱。
【発明の詳細な説明】
【技術分野】
【０００１】
本発明は、地中に埋設された外筒内に柱体が収納され、必要に応じ柱体を地上へ引き出して立設させる出没式柵柱に関する。
【背景技術】
【０００２】
車両や人の通行を規制するための道路設備として、地中に埋設される外筒と、この外筒内に昇降自在に収納される柱体とからなる出没式柵柱が公知である。本出願人は、この種の出没式柵柱を使用するに際して、柱体の昇降・収納操作を容易にするために、柱体を持ち上げるだけの単純な操作で、きわめて簡単に柱体を突出位置にロックし、またそのロックを解除して収納することのできる機構を備えた出没式柵柱を発明し、その構造を特許文献１に開示している。
【先行技術文献】
【特許文献】
【０００３】
【特許文献１】特許第４８１７３７３号公報
【発明の概要】
【発明が解決しようとする課題】
【０００４】
この種の出没式柵柱が実際に利用される場面では、車両や人の通行を規制するために、隣り合う柱体の間にチェーンを架け渡すことが多い。かかる用途に対応すべく、柱体の内部にチェーンを収納し、使用時にはチェーンを柱体から引き出せるように構成した出没式柵柱も知られている。
【０００５】
しかしながら、本出願人の発明に係る前記従来の出没式柵柱では、柱体を所定の突出位置にて解除自在に停止させるロック手段が、柱体の内側に回転自在に取り付けられたストップカムと、外筒の底部から立ち上げられて柱体の内側に挿入された内側支持体と、この内側支持体に設けられてストップカムに当接し、ストップカムの回転位置を、柱体の昇降を許容するフリー姿勢、または柱体を突出位置に保持するロック姿勢のいずれかに位置決めするガイド部材及びカム動作部とによって構成されている。そのため、これらの機構によって柱体の内部が占有されてしまい、柱体の内部にチェーンを収納することができなかった。
【０００６】
そこで、本発明は、前記従来の出没式柵柱に採用したロック手段の簡便な操作性を保持しつつ、柱体の内部にチェーンを収納するためのスペースも確保できるように全体的な構造を改良した出没式柵柱を提案するものである。
【課題を解決するための手段】
【０００７】
前述の課題を解決するために本発明が採用した構成は、地中に埋設される外筒と、前記外筒内に昇降自在に収納される柱体と、該柱体を所定の突出位置にて解除自在に停止させるロック手段とを備えた出没式柵柱において、前記柱体は中空の筒状に形成され、前記柱体の上部近傍に形成されたチェーン出入口を通じて前記柱体の内部にチェーンが出し入れ自在に収納されるように形成されるとともに、前記外筒及び前記柱体は、それぞれ少なくとも一ヶ所の平坦な側面を有し、それら平坦な側面同士が所定の隙間を保持するようにして前記外筒と前記柱体とが挿装され、前記ロック手段が、前記柱体の平坦な側面の外側に沿って取り付けられ前記柱体と前記外筒との隙間で回転自在に保持されるストップカムと、前記外筒の平坦な側面の内側に突設されて前記ストップカムに当接し、前記ストップカムの回転位置を、前記柱体の昇降を許容するフリー姿勢、または前記柱体を前記突出位置に保持するロック姿勢のいずれかに位置決めするガイド部材及びカム動作部とによって構成されたものとして特徴づけられる。
【０００８】
すなわち、この発明は、ストップカムとガイド部材とカム動作部とを相互に連係させて構成されるロック手段を、外筒及び柱体の平坦な側面同士の隙間に配置することにより、柱体の内部にチェーンを収納するためのスペースを設けたものである。このロック手段は、ストップカムを薄い板状部材によって形成することができるので、ストップカムと、その縁部に当接するガイド部材及びカム動作部の厚みも、全体でせいぜい数ｍｍ以内の薄いものとすることができる。したがって、これらのロック手段を、外筒と柱体との隙間に無理なく納めることができ、その結果、柱体の内部に十分な容積のチェーン収納スペースを確保することが可能になる。
【０００９】
本発明の出没式柵柱における前記ロック手段の詳細な構成としては、前記ストップカムが、前記柱体の前記平坦な側面の下部近傍に、前記柱体の軸方向に直交する支持軸を介して取り付けられ、前記ガイド部材が、前記外筒の前記平坦な側面に、前記外筒の軸方向に沿って直線状に突設することにより、前記ストップカムの縁部に摺動自在に当接するように形成され、前記カム動作部が、前記外筒の前記平坦な側面の上部近傍に突設され、前記柱体を前記突出位置よりも上昇させると前記ストップカムの縁部に当接して、前記フリー姿勢にある前記ストップカムを前記ロック姿勢側に回転させ、または前記ロック姿勢にある前記ストップカムを前記フリー姿勢側に回転させるように形成されたものとすることができる。
【００１０】
このような構成により、前記従来の出没式柵柱と同様に、柱体を持ち上げるだけの単純な操作で、きわめて簡単に柱体を突出位置にロックし、またそのロックを解除して柱体を収納することができる。
【００１１】
さらに、本発明の出没式柵柱は、前記外筒及び前記柱体が、互いに対向する二ヶ所ずつの平坦な側面を有し、それら二ヶ所ずつの平坦な側面同士がそれぞれ所定の隙間を保持するように前記外筒と前記柱体とが挿装され、前記ロック手段が、前記二ヶ所の隙間にそれぞれ設けられ、互いに同期して動作するように構成されるのも好ましい。
【００１２】
外筒及び柱体が、互いに対向する二ヶ所ずつの平坦な側面を有する構成とは、例えば外筒及び柱体が、例えば正方形や正六角形の断面形状をなすような構成である。このような断面形状を採用し、互いに対向する二ヶ所にロック手段を対称的に設けて、それらを同期して動作させることにより、出没式柵柱全体の力学的なバランスが担保され、ロック手段が一層、円滑に動作する。
【００１３】
さらに、本発明の出没式柵柱は、前記外筒の上端近傍の内側に、前記柱体との隙間を一定に保持するためのスペーサが添設されるとともに、前記外筒の上端部には前記スペーサと内面を揃えるようにして口環部材が着脱自在に装着され、前記カム動作部は前記口環部材から下向きに突設するように形成されたものとすることができる。
【００１４】
この構成によれば、外筒と柱体との隙間が一定に保持されて、柱体の昇降やロック手段の動作が、より円滑になる。また、外筒の上端部から口環部材を取り外すことにより、柱体をストップカムとともに上方へ抜き出すことが可能になる。かかる機能は、内部の清掃や部品交換といった、様々なメンテナンス作業を容易にする。
【発明の効果】
【００１５】
上述のように構成される本発明の出没式柵柱は、外筒及び柱体にそれぞれ平坦な側面を設けて、それら平坦な側面同士の隙間にロック手段を配置するように構成したので、これにより柱体の内部にチェーンを収納することが可能になる。
【００１６】
また、ロック手段として、ストップカムとガイド部材とカム動作部とを相互に連係させる構成を採用したので、それらを全体として厚みが薄くなるように構成することができ、外筒と柱体との隙間に無理なく組み込むことができる。柱体を所定の高さまで持ち上げるだけの単純な操作で柱体を突出位置にロックし、再度、柱体を少し持ち上げるだけでロックを解除して収納することができる、という極めて簡便な操作性も保持される。
【００１７】
これらにより、実際の使用場面において出没式柵柱を出し入れしたり、またチェーンを架け渡したり収納したりする作業を一層、省力化することができる。
【図面の簡単な説明】
【００１８】
【図１】本発明の実施の形態に係る出没式柵柱の全体構成と使用状態を示す側面図である。
【図２】前記出没式柵柱の分解斜視図である。
【図３】前記出没式柵柱の収納状態における縦方向部分断面図である。
【図４】前記出没式柵柱の上面図である。
【図５】前記出没式柵柱の、図３におけるＡ−Ａ断面図である。
【図６】前記出没式柵柱における支柱の要部を示す部分側面図である。
【図７】前記支柱の、図６におけるＢ−Ｂ断面図である。
【図８】前記出没式柵柱におけるロック手段の動作を示す図であって、ストップカムがフリー姿勢（ａ）からロック姿勢（ｃ）に切り替わる間の動作状態を示す図である。
【図９】前記出没式柵柱におけるロック手段の動作を示す図であって、ストップカムがロック姿勢（ｃ）からフリー姿勢（ｅ）に切り替わる間の動作状態を示す図である。
【発明を実施するための形態】
【００１９】
以下、本発明の実施の形態について図を参照して説明する。図１〜図７は、本発明の実施の形態に係る出没式柵柱を示す。
【００２０】
（出没式柵柱の全体構成）
図１に示すように、本発明の出没式柵柱１は、地中に埋設される外筒２と、この外筒２内に挿入されて昇降自在に収納される柱体３と、この柱体３を所定の突出位置にて解除自在に固定させるロック手段とを備える。外筒２及び柱体３は、それぞれ少なくとも一ヶ所の平坦な側面を有し、それら平坦な側面同士が所定の隙間を保持するようにして挿装される。例示形態においては、外筒２及び柱体３はいずれも、軸方向に直交する断面がともに正方形となる角筒状に形成され、それぞれの四側面が略等間隔の隙間を保持するようにして挿装されている。
【００２１】
（外筒）
外筒２の下端部は、正方形の外筒底板２１により閉塞されている。外筒２の上端近傍の内側四隅には、図２に示すように、横断面Ｌ字形のスペーサ２２が添設されていて、これにより外筒２と柱体３との隙間が一定に保持される。
【００２２】
また、外筒２の上端部には、角環状の口環部材２３が装着される。口環部材２３は、その内面をスペーサ２２の内面と揃えるように（厳密には図４〜図５に示すように、口環部材２３の内面がスペーサ２２の内面よりも僅かに外方に後退するように）形成されて、外筒２の上端開口の内側に装着され、内側から外筒２の四側面に向けてネジ留めされる。
【００２３】
（柱体）
柱体３は外筒２と略同寸の長さに形成され、柱体３が外筒２内に収納された状態で、柱体３の上端が外筒２の上端と略面一に揃うように形成されている。柱体３の上端部には把手部材３１を含む蓋体３２が取り付けられ、柱体３の下端部は開放されている。
【００２４】
柱体３の上部近傍の側面には略円形のチェーン出入口３３が形成され、このチェーン出入口３３を通じて、柱体３の内部にチェーン４が出し入れ自在に収納される。図６及び図７に示すように、チェーン出入口３３の内側には、略箱状をなすチェーン掛脱ボックス３４が装着されている。チェーン掛脱ボックス３４の底部はチェーン４の出し入れを補助するためのガイド板３５となっており、このガイド板３５にはチェーン４の通過可能な通孔３６が形成されている。また、柱体３におけるチェーン出入口３３の背面側には、横長の略長円形状をなすチェーン掛着口３７が形成され、その内側にチェーン掛着具３８が取り付けられている。
【００２５】
柱体３の下部近傍の内部には、チェーン４の収納用スペースの底位置を規定する底板３９が取り付けられている。チェーン４は、チェーン出入口３３及び通孔３６に挿通され、収納時には底板３９の上に貯留される。
【００２６】
チェーン４の収納側の末端部には、ガイド板３５の通孔３６を通過できない形状を有する抜止具４１が取り付けられている。また、チェーン４の引き出し側の先端部には、通孔３６を通過できない大きさの引掛リング４２が取り付けられている。引掛リング４２は、チェーン４を柱体３内に収納したときにはガイド板３５の上に係留され、チェーン出入口３３からチェーン４を引き出す際の指掛かりとなる。また、チェーン４を引き出して架け渡すときには、この引掛リング４２を相手側の柱体３のチェーン掛着口３７に挿し込んでチェーン掛着具３８に掛止させる。
【００２７】
（ロック手段）
ロック手段は、柱体３側に取り付けられるストップカム５と、外筒２側に設けられてストップカム５に当接するガイド部材６及びカム動作部７との組み合わせによって構成される。これらストップカム５、ガイド部材６及びカム動作部７は、外筒２と柱体３との隙間に組み込まれる。
【００２８】
ストップカム５は、柱体３の下部近傍における対向二側面の外側に、柱体３を軸方向に直交して貫通する支持軸５１を介して回転自在に取り付けられた、略一様厚さの板状部材である。ストップカム５の形状は、長方形の対向する二短辺側にＶ字状の切込部５２がそれぞれ形成され、長軸方向の中心線に関し線対称、かつ支持軸５１（回転中心）に関し点対称となっている。切込部５２及び長辺部５３の縁部はすべて平滑に仕上げられ、四ヶ所の角部には丸み加工が施されている。柱体３を挟んで対向する一対のストップカム５は、支持軸５１を介して一体的に結合され、互いに同じ角度姿勢をなすように回動する。
【００２９】
ガイド部材６は、ストップカム５が取り付けられた柱体３の対向二側面にそれぞれ向かい合うようにして、外筒２の対向二側面の内側に突設された、細長い直線状の部位である。ガイド部材６は、外筒２の軸方向と平行に、外筒２の下端部近傍から上端部よりもやや低い位置まで途切れなく突設され、ストップカム５が縦向き（長軸が直立する姿勢）になったとき、その片側の長辺部５３に沿うように配置されている。
【００３０】
カム動作部７は、ガイド部材６が突設された外筒２の対向二側面の上部に設けられる突起状の部位である。例示形態におけるカム動作部７は、外筒２の上端部に装着された口環部材２３から下向きに突設されて、その先端がＶ字状に尖っている。カム動作部７の突設
位置は、ガイド部材６を上方に延長した位置よりも、ストップカム５の短辺幅よりやや小さい寸法だけ側方にずれた位置になっている。
【００３１】
（柱体の昇降・収納操作）
柱体３の昇降・収納操作に際し、前述のロック手段がどのように動作するかについて、図８〜図９を参照しつつ説明する。
【００３２】
柱体３が外筒２内に収納されている状態では、図３に示したように、ストップカム５が縦向きになって、その片側の長辺部５３にガイド部材６が当接しており、この状態で柱体３の昇降が許容されている。本発明においては、ストップカム５が縦向きになっているこの姿勢を「フリー姿勢」と呼ぶ。このまま柱体３を引き上げると、ストップカム５は、その長辺部５３をガイド部材６の側縁部に摺接させてフリー姿勢を保持したまま、柱体３とともに上昇する。
【００３３】
そして、柱体３を上限一杯近くまで引き上げると、図８（ａ）〜（ｂ）に示すように、ストップカム５の図中右上の角部がカム動作部７の先端に当接して、ストップカム５が図中右回りに回転する。すると、ストップカム５の上側の切込部５２にカム動作部７が食い込んで、ストップカム５の回転が阻止されるとともに、柱体３のさらなる上昇が規制される。
【００３４】
ここで、柱体３を引き上げる力を緩めると、柱体３は自重で少し下降する。すると、図８（ｃ）に示すように、今度は傾斜したストップカム５の図中左下の切込部５２にガイド部材６の上端部が食い込み、ストップカム５の回転が再び阻止されて、柱体３のさらなる下降が規制される。このように、傾斜したストップカム５がガイド部材６の上端部に係合して回転不能になった姿勢を、本発明においては「ロック姿勢」と呼ぶ。このロック姿勢により柱体３が突出位置に保持されることとなる。
【００３５】
柱体３を収納する際には、図９（ｃ）の状態（図８（ｃ）の状態と同じ）から、柱体３を少し引き上げる。すると、図９（ｄ）に示すように、ストップカム５の上側の長辺部５３がカム動作部７の先端に当接して、ストップカム５が図中右回りに回転し、左右の傾斜方向が逆転する。ここで柱体３を引き上げる力を緩め、柱体３を自重にまかせて下降させると、ストップカム５は、下側の長辺部５３をガイド部材６の上端部に当接させながら、さらに図中右回りに回転して、図９（ｅ）に示すようにフリー姿勢に戻る。この状態から、柱体３を最下位の収納位置まで抵抗なく下降させることができる。
【００３６】
このように、柱体３を上げ下げする操作により、その都度、ストップカム５がガイド部材６またはカム動作部７に当接して、所定の角度だけ同じ向きに回転し、フリー姿勢からロック姿勢へと、またはロック姿勢からフリー姿勢へと切り替わる。本発明の出没式柵柱１は、このように単純な操作で、きわめて簡単に柱体３を突出位置にロックし、またそのロックを解除して収納することができるように構成されている。しかも、このようなロック手段は、その機構がきわめて簡素であるため、コンパクト化及び軽量化に有利であり、動作の信頼性も高く、メンテナンスも容易である。
【００３７】
なお、本発明において、外筒２及び柱体３の横断面形状は、前述した正方形に限定されるものではない。外筒２と柱体３との隙間でストップカム５を回転させる必要があることから、少なくともそれぞれ一ヶ所（より好ましくは対向二ヶ所）の平坦面を有する必要があるが、例えば、六角形、八角形、あるいは円の周部を弓形に削ぎ取ったＤカット形、さらに反対側も弓形に削ぎ取ったＩカット形、その他適宜の多角形断面を採用することができる。
【産業上の利用可能性】
【００３８】
本発明は、道路面や床面等に埋設される出没式柵柱の他、上下方向に昇降させて出し入れされる内外二重構造の伸縮部材として、様々な建材、機械、設備分野等に利用可能である。
【符号の説明】
【００３９】
１  出没式柵柱
２  外筒
２２  スペーサ
２３  口環部材
３  柱体
３３  チェーン出入口
４  チェーン
５  ストップカム
５１  支持軸
６  ガイド部材
７  カム動作部
【図１】
2014066030.tif 000003
【図２】
2014066030.tif 000004
【図３】
2014066030.tif 000005
【図４】
2014066030.tif 000006
【図５】
2014066030.tif 000007
【図６】
2014066030.tif 000008
【図７】
2014066030.tif 000009
【図８】
2014066030.tif 000010
【図９】
2014066030.tif 000011